(57)【要約】      （修正有）【課題】シンプルな構成で、記録媒体に曲げ癖を付けないで搬送し、所望の画像を印刷することができる熱転写プリンタを提供する。【解決手段】給紙口から給紙された記録媒体１を、サーマルヘッド４１とプラテンローラ４２とを有する転写部４に搬送する往路経路２１と、この転写部の下流側に設けられた中間経路２２と、転写後の前記記録媒体を、給紙口３と同じ側の上部に設けられた排紙口５に排紙する復路経路２３とからなる搬送路２を備え、記録媒体１を、搬送路を搬送しながら記録媒体にインクリボン７１のインクを熱転写して画像印刷を行う熱転写プリンタにおいて、搬送路中の往路経路と復路経路とを分岐する分岐点４に設けられ、画像印刷後の記録媒体を復路経路に誘導する弾性機能を有する誘導板２３０と、往路経路を形成するベース２１０とからなり、ベースの幅方向の分岐点のプラテンローラ側に、画像印刷後の記録媒体１を誘導する傾斜面からなる誘導部と、溝部とを交互に形成する。【選択図】図１
2005314041.tif 000002
【特許請求の範囲】
【請求項１】
給紙口から給紙された記録媒体を、サーマルヘッドとプラテンローラとを有する転写部に搬送する往路経路と、この転写部の下流側に設けられた中間経路と、転写後の前記記録媒体を、前記給紙口と同じ側の上部に設けられた排紙口に排紙する復路経路とからなる搬送路を備え、前記記録媒体を、前記搬送路を搬送しながら前記記録媒体にインクリボンのインクを熱転写して画像印刷を行う熱転写プリンタにおいて、
前記搬送路中の前記往路経路と復路経路とを分岐する分岐点に設けられ、前記中間経路から搬送されてくる画像印刷後の前記記録媒体を前記復路経路に誘導する弾性機能を有する誘導板と、この誘導板を位置決めする位置決め突起が設けられた支持フレームと、前記往路経路を形成するベースとからなり、前記ベースの幅方向の前記分岐点の前記プラテンローラ側に、画像印刷後の前記記録媒体を誘導する傾斜面からなる誘導部と、溝部とを交互に形成するとともに、前記誘導板の前記プラテンローラ側の搬送方向の長さを、前記ベースの誘導部に対応する部分を短く、前記ベースの溝部に対応する部分を長く形成し、かつ、前記誘導板を前記支持フレームの位置決め突起に前記誘導板の位置決め孔を嵌装して位置決めして固定したことを特徴とする熱転写プリンタ。
【請求項２】
給紙口から給紙された記録媒体を、サーマルヘッドとプラテンローラとを有する転写部に搬送する往路経路と、この転写部の下流側に設けられた中間経路と、転写後の前記記録媒体を、前記給紙口と同じ側の上部に設けられた排紙口に排紙する復路経路とからなる搬送路を備え、前記記録媒体を、前記搬送路を搬送しながら前記記録媒体にインクリボンのインクを熱転写して画像印刷を行う熱転写プリンタにおいて、
前記搬送路中の前記往路経路と、復路経路とを分岐する分岐点に、弾性機能を有する誘導板を設け、この誘導板により前記中間経路から搬送されてくる画像印刷後の前記記録媒体を前記復路経路に誘導するようにしたことを特徴とする熱転写プリンタ。
【請求項３】
給紙口から給紙された記録媒体を、サーマルヘッドとプラテンローラとを有する転写部に搬送する往路経路と、この転写部の下流側に設けられた中間経路と、転写後の前記記録媒体を、前記給紙口と同じ側の上部に設けられた排紙口に排紙する復路経路とからなる搬送路を備え、前記記録媒体を、前記搬送路を搬送しながら前記記録媒体にインクリボンのインクを熱転写して画像印刷を行う熱転写プリンタにおいて、
前記搬送路中の前記往路経路と復路経路とを分岐する分岐点に設けられ、前記中間経路から搬送されてくる画像印刷後の前記記録媒体を前記復路経路に誘導する弾性機能を有する誘導板と、この誘導板を取付ける支持フレームと、前記往路経路を形成するベースとからなり、前記ベースの幅方向の前記分岐点の前記プラテンローラ側に、画像印刷後の前記記録媒体を誘導する傾斜面からなる誘導部と、溝部とを交互に形成するとともに、前記誘導板の前記プラテンローラ側の搬送方向の長さを、前記ベースの誘導部に対応する部分を短く、前記ベースの溝部に対応する部分を長く形成したことを特徴とする熱転写プリンタ。
【請求項４】
前記誘導板の位置決め孔の一方を、前記支持フレームの位置決め突起に対応した長孔に形成したことを特徴とする請求項１または請求項３いずれかに記載の熱転写プリンタ。
【請求項５】
前記誘導板を支持フレームに両面接着テープで添着したことを特徴とする請求項１乃至請求項４いずれかに記載の熱転写プリンタ。
【発明の詳細な説明】
【技術分野】
【０００１】
本発明は、熱転写プリンタに関し、特に記録媒体を給紙口と同じ側に設けた排紙口に排紙するようにした搬送路を備えた熱転写プリンタに関する。
【背景技術】
【０００２】
周知の通り、熱転写プリンタにあっては、インクリボンを収納したインクリボンカートリッジを本体に装着し、サーマルヘッドとプラテンローラとの間に給紙された用紙などの記録媒体に、サーマルヘッドをプラテンローラに対してヘッドダウンさせ、インクリボンと用紙とをプラテンローラに圧接挟持した状態で、搬送ローラを回転させて、記録媒体をサーマルヘッドの下流側に搬送することにより、インクリボンのインクが記録媒体に熱転写され、所望の画像が印刷される。
【０００３】
上述のような熱転写プリンタにおいて、記録媒体を給紙口と同じ側に設けた排紙口に排紙する構成として、従来では、給紙口から給紙した記録媒体を、プラテンローラの一部に巻きつけながらサーマルヘッドを有する転写部へ搬送し、転写部において画像転写を行い、画像転写後の記録媒体を、プラテンローラに沿って略一回転するように搬送して給紙口と同じ側の上側に設けられた排紙口に排紙するように構成したものがある(例えば、特許文献1参照）。
【特許文献１】特開平４−１９７７６８号公報
【発明の開示】
【発明が解決しようとする課題】
【０００４】
、
しかし、前述の特許文献１記載の構成では、記録媒体をプラテンローラに沿って巻き付けながら回転する必要があり、プラテンローラ側にピンチローラを上下２個設け、また、ヘッドユニット側にガイドローラを設け、このガイドローラの動きを制御して、前記巻きつけおよび剥離をする必要があり、必然的に部品点数が多くなり、組立て工数が増加するとともに、その構造が極めて煩雑となる、などといった不都合があった。さらに、カラー印刷に際しては、少なくとも３回、同様の印刷工程を繰り返すこととなり、前記記録媒体に曲げ癖が付くとともに、これに起因して搬送過程で記録媒体が詰まるなどといた、トラブルを発生する危惧があった。
【０００５】
本発明は、上述した問題を解決するためになされたものであり、極めてシンプルな構成で、部品点数を増やさずに製作することができ、しかも記録媒体に曲げ癖を付けないで搬送し、所望の画像を印刷することができる熱転写プリンタを提供することを目的とする。
【課題を解決するための手段】
【０００６】
かかる目的を達成するため、請求項１記載の発明では、給紙口から給紙された記録媒体を、サーマルヘッドとプラテンローラとを有する転写部に搬送する往路経路と、この転写部の下流側に設けられた中間経路と、転写後の前記記録媒体を、前記給紙口と同じ側の上部に設けられた排紙口に排紙する復路経路とからなる搬送路を備え、前記記録媒体を、前記搬送路を搬送しながら前記記録媒体にインクリボンのインクを熱転写して画像印刷を行う熱転写プリンタにおいて、前記搬送路中の前記往路経路と復路経路とを分岐する分岐点に設けられ、前記中間経路から搬送されてくる画像印刷後の前記記録媒体を前記復路経路に誘導する弾性機能を有する誘導板と、この誘導板を位置決めする位置決め突起が設けられた支持フレームと、前記往路経路を形成するベースとからなり、前記ベースの幅方向の前記分岐点の前記プラテンローラ側に、画像印刷後の前記記録媒体を誘導する傾斜面からなる誘導部と、溝部とを交互に形成するとともに、前記誘導板の前記プラテンローラ側の搬送方向の長さを、前記ベースの誘導部に対応する部分を短く、前記ベースの溝部に対応する部分を長く形成し、かつ、前記誘導板を、前記支持フレームの位置決め突起に前記誘導板の位置決め孔を嵌装して位置決めして固定する。
【０００７】
請求項２記載の発明では、給紙口から給紙された記録媒体を、サーマルヘッドとプラテンローラとを有する転写部に搬送する往路経路と、この転写部の下流側に設けられた中間経路と、転写後の前記記録媒体を、前記給紙口と同じ側の上部に設けられた排紙口に排紙する復路経路とからなる搬送路を備え、前記記録媒体を、前記搬送路を搬送しながら前記記録媒体にインクリボンのインクを熱転写して画像印刷を行う熱転写プリンタにおいて、前記搬送路中の前記往路経路と、復路経路とを分岐する分岐点に、弾性機能を有する誘導板を設け、この誘導板により前記中間経路から搬送されてくる画像印刷後の前記記録媒体を前記復路経路に誘導するように形成する。
【０００８】
請求項３記載の発明では、給紙口から給紙された記録媒体を、サーマルヘッドとプラテンローラとを有する転写部に搬送する往路経路と、この転写部の下流側に設けられた中間経路と、転写後の前記記録媒体を、前記給紙口と同じ側の上部に設けられた排紙口に排紙する復路経路とからなる搬送路を備え、前記記録媒体を、前記搬送路を搬送しながら前記記録媒体にインクリボンのインクを熱転写して画像印刷を行う熱転写プリンタにおいて、前記搬送路中の前記往路経路と復路経路とを分岐する分岐点に設けられ、前記中間経路から搬送されてくる画像印刷後の前記記録媒体を前記復路経路に誘導する弾性機能を有する誘導板と、この誘導板を取付ける支持フレームと、前記往路経路を形成するベースとからなり、前記ベースの幅方向の前記分岐点の前記プラテンローラ側に、画像印刷後の前記記録媒体を誘導する傾斜面からなる誘導部と、溝部とを交互に形成するとともに、前記誘導板の前記プラテンローラ側の搬送方向の長さを、前記ベースの誘導部に対応する部分を短く、前記ベースの溝部に対応する部分を長く形成する。
【０００９】
請求項４記載の発明では、前記誘導板の位置決め孔の一方を、前記支持フレームの位置決め突起に対応した長孔に形成する。
【００１０】
請求項５記載の発明では、前記誘導板を支持フレームに両面接着テープで添着する。
【発明の効果】
【００１１】
請求項１記載の発明の構成によれば、搬送路中の分岐点に位置するベースに、傾斜面からなる誘導部と溝部を形成し、当該溝部に対応する部分を長くした弾性機能を有する復路経路の一部を形成する誘導板を分岐点に配設すれば良く、その構成は、極めてシンプルであるとともに、記録媒体の搬送方向を誘導するために、殊更、プラテンローラ側にピンチローラや、ヘッドユニット側にガイドローラなどを設ける必要がなく、部品点数の増大を招来することがない。しかも、誘導板の支持フレームへの取付けの際の位置決めは、支持フレームに形成した位置決め突起に、前記誘導板の位置決め孔を嵌装すれば良く、組立作業がきわめて簡単である他、往復移動する記録媒体には、曲げ癖などが一切生じないので、これに起因する搬送過程における記録媒体が詰まるなどのトラブルを生じる危惧がない、などといった効果を奏する。
【００１２】
請求項２記載の発明の構成によれば、搬送路中の往路経路と復路経路とを分岐する分岐点に設けた誘導板は、弾性機能を有し、しかも復路経路の一部を形成するものであり、その構成は、極めてシンプルであるとともに、記録媒体の搬送方向を誘導するために、殊更、プラテンローラ側にピンチローラや、ヘッドユニット側にガイドローラなどを設ける必要がなく、部品点数の増大を招来することがない。しかも、往復移動する記録媒体には、曲げ癖などが一切生じないので、これに起因する搬送過程におけるトラブルを生じる危惧がない、などといった効果を奏する。
【００１３】
請求項３記載の発明の構成によれば、搬送路中の分岐点に位置するベースに、傾斜面からなる誘導部と溝部を形成し、当該溝部に対応する部分を長くした弾性機能を有する復路経路の一部を形成する誘導板を分岐点に配設すれば良く、その構成は、極めてシンプルであるとともに、記録媒体の搬送方向を誘導するために、殊更、プラテンローラ側にピンチローラや、ヘッドユニット側にガイドローラなどを設ける必要がなく、部品点数の増大を招来することがない。しかも、往復移動する記録媒体には、曲げ癖などが一切生じないので、これに起因する搬送過程における記録媒体が詰まるなどのトラブルを生じる危惧がない、などといった効果を奏する。
【００１４】
請求項４記載の発明の構成によれば、誘導板の支持フレームへの取付け時の位置決めは、支持フレームの位置決め突起に、前記誘導板の位置決め孔を嵌装すれば良く、組立作業がきわめて簡単である、などといった効果を奏する。
【００１５】
請求項５記載の発明の構成によれば、誘導板の支持フレームへの取付けは、両面接着テープを用いているので、その取付け作業が極めて簡単である、などといった効果を奏する。
【発明を実施するための最良の形態】
【００１６】
給紙口から給紙された記録媒体を、サーマルヘッドとプラテンローラとを有する転写部に搬送する往路経路と、この転写部の下流側に設けられた中間経路と、転写後の前記記録媒体を、前記給紙口と同じ側の上部に設けられた排紙口に排紙する復路経路とからなる搬送路を備え、前記記録媒体を、前記搬送路を搬送しながら前記記録媒体にインクリボンのインクを熱転写して画像印刷を行う熱転写プリンタにおいて、前記搬送路中の前記往路経路と復路経路とを分岐する分岐点に設けられ、前記中間経路から搬送されてくる画像印刷後の前記記録媒体を前記復路経路に誘導する弾性機能を有する誘導板と、この誘導板を位置決めする位置決め突起が設けられた支持フレームと、前記往路経路を形成するベースとからなり、前記ベースの幅方向の前記分岐点の前記プラテンローラ側に、画像印刷後の前記記録媒体を誘導する傾斜面からなる誘導部と、溝部とを交互に形成するとともに、前記誘導板の前記プラテンローラ側の搬送方向の長さを、前記ベースの誘導部に対応する部分を短く、前記ベースの溝部に対応する部分を長く形成し、かつ、前記誘導板を前記支持フレームの位置決め突起に前記誘導板の位置決め孔を嵌装して位置決めして両面接着テープで添着する。
【実施例１】
【００１７】
以下、本発明の一実施例を図１乃至図８に基づき説明する。図１は、本発明の一実施例による熱転写プリンタの概略構成を示す概略断面図、図２は、図１に示す熱転写プリンタの搬送路中の往路経路と復路経路とを分岐する分岐点近傍を拡大して示す要部平面図、図３は、図２のａ−ａ線に沿った断面図、図４は、図２のｂ−ｂ線に沿った断面図、図５は、図２のａ−ａ線に沿った断面図、図６は、図２のｂ−ｂ線に沿った断面図、図７は、図２のＣ−Ｃ線に沿った断面図、図８は、図７の要部平面図である。
【００１８】
本発明に従い、記録媒体１を搬送する搬送路２は、給紙口３から給紙された記録媒体１を、サーマルヘッド４１とプラテンローラ４２とを有する転写部４に搬送する往路経路２１と、転写部４の下流側に設けられた中間経路２２と、転写後の記録媒体１を、中間経路２２から給紙口３と同じ側の上部に設けられた排紙口５に排紙する復路経路２３とから構成されている。搬送路２には、記録媒体１を搬送するための搬送ローラ６１および押さえローラ６２が設けられている。なお、図示しないが必要に応じて中間経路２２に、搬送ローラおよび押さえローラを設けても良いのは勿論である。
【００１９】
サーマルヘッド４１は、アーム支持軸４３に回動可能に軸支されたヘッド取付けアーム４４に取付けられ、インクリボン７１のインクを熱転写して画像印刷を行う際、図１に示す退避位置からプラテンローラ４２側に図示しない駆動機構によりヘッドダウンされ、インクリボン７１に接触するように構成されている。インクリボン７１は、通常、図示しないケースに収納され、供給リール７２に巻きつけられ、熱転写の際、巻取りリール７３に順次巻き付けられる。
【００２０】
搬送路２中の往路経路２１と復路経路２３とを分岐する分岐点Ｘに位置する往路経路２１の一部を形成するベース２１０は、その幅方向のプラテンローラ４２側に、画像印刷後の記録媒体１を復路経路２３側に誘導するための傾斜面からなる誘導部２１１と、溝部２１２とが交互に形成されている。この様な誘導部２１１および溝部２１２は、例えば、ベース２１０を合成樹脂により成形して製作する際、金型を用いて一体成形すれば良いのは、勿論である。
【００２１】
また、分岐点Ｘには、中間経路２２から搬送されてくる画像印刷後の記録媒体１を復路経路２３に誘導し、かつ、復路経路２３の一部を形成する弾性機能を有する誘導板２３０が設けられている。この誘導板２３０は、プラテンローラ４２側の搬送方向の長さを、ベース２１０の誘導部２１１に対応する部分を短くした短片部２３２と、ベース２１０の溝部２１２に対応する部分を長く形成した長片部２３１となるように形成してあり、この長片部２３１の先端部分は、ベース２１０の溝部２１２内に位置するように配設され、その先端はフリーの状態である。この誘導板２３０は、例えば、プラスチック樹脂板を、前述したような長片部２３１と短片部２３２とを有する形状に、打ち抜き加工などにより製作すれば都合が良い。
【００２２】
誘導板２３０は、例えば、本体フレーム８１や図示しないサイドフレームなどに直接または間接的取付けられた支持フレーム８２に取付けられている。この取付けは、例えば、両面接着テープや、接着剤により取付ければ良い。両面接着テープを用いると、その取付け作業が極めて簡単である。
【００２３】
また、支持フレーム８２の誘導板２３０を取付ける面に、誘導板２３０を位置決めする位置決め突起８３を少なくとも２箇所設けるとともに、誘導板２３０の当該対応する位置に位置決め孔２３３を設け、支持フレーム８２の位置決め突起８３に誘導板２３０の位置決め孔２３３を嵌装して位置決めして取付けると、取付け作業がきわめて簡単である。更に、誘導板２３０の位置決め孔２３３の少なくとも一方を、図８に示すように長孔に形成すれば、製作時の寸法誤差を吸収でき、取付けの際に余裕ができ都合がよい。
【００２４】
次に、図１乃至図６を参照して、本実施例による熱転写プリンタの動作について説明する。
【００２５】
図１において、給紙口３から給紙された記録媒体１は、図示しない駆動機構により駆動された搬送ローラ６１により、往路経路２１を矢印Ａ方向に搬送され、分岐点Ｘにおいて、誘導板２３０は弾性機能を有しているので、図３、図４に示すように記録媒体１そのものにより誘導板２３０の先端を押しながら、ベース２１との間を、また、僅かな隙間が生じている場合にはその隙間を通過し、転写部４に到達する。
【００２６】
この際、転写部４では、ヘッド取付けアーム４４が、図示しない駆動機構により駆動され矢印Ｙ１方向に移動し、サーマルヘッド４１を、図１に示す退避位置からプラテンローラ４２に対してヘッドダウンさせ、インクリボン７１と記録媒体１とをプラテンローラ４２に圧接挟持した状態とされる。この状態で搬送ローラ６１が回転され、記録媒体１は、サーマルヘッド４１の下流側である中間経路２２に搬送されることにより、カラー印刷の場合には、インクリボン７１のＣ（シアン）、Ｍ（マゼンダ）、Ｙ（イエロ）の３色の内の１色、例えば、Ｃ（シアン）のインクが記録媒体１に熱転写される。
【００２７】
熱転写後、ヘッド取付けアーム４４は、図示しない駆動機構により駆動され矢印Ｙ２方向に移動し、サーマルヘッド４１を、図１に示す退避位置に戻し、この状態で、画像印刷後の記録媒体１は、中間経路２２から矢印Ｂ方向に搬送ローラ６１により搬送される。このとき、分岐点Ｘにおいて、図５に示すように、先ず記録媒体１の先端が、往路経路２１を形成するベース２１０の傾斜面からなる誘導部２１１により、上方に誘導される。このとき、図２に示すように、矢印Ｔで示す位置を通過する時点で、同時に誘導板２３０のベース２１０の溝部２１２に挿入された、誘導板２３０の長片部２３１の上側を通過し、その後、誘導板２３０の上面をスライドしながら復路経路２３の一部として排紙口５側の所定位置に搬送される。
【００２８】
次に、２色目の印刷を行うため、ヘッド取付けアーム４４は、図示しない駆動機構により駆動され矢印Ｙ１方向に再度移動し、サーマルヘッド４１を、図１に示す退避位置からプラテンローラ４２に対してヘッドダウンさせ、インクリボン７１と記録媒体１とをプラテンローラ４２に圧接挟持した状態とされる。この状態で搬送ローラ６１が回転され、復路経路２３に待機していた１色目の印刷を終えた記録媒体１が、復路経路２３を矢印Ｃ方向（図１参照）に搬送され、転写部４に到達し、その後上述した１色目と同様、サーマルヘッド４１の下流側である中間経路２２に搬送されることにより、Ｍ（マゼンダ）のインクが記録媒体１に熱転写される。
【００２９】
２色目の熱転写後の記録媒体１は、上述した１色目と同様、サーマルヘッド４１が退避位置に戻った後、中間経路２２から矢印Ｂ方向に搬送ローラ６１により搬送され、分岐点Ｘにおいて、図５に示すように、先ず記録媒体１の先端が、往路経路２１を形成するベース２１０の傾斜面からなる誘導部２１１により、上方に誘導される。このとき、図２に示すように、矢印Ｔで示す位置を通過する時点で、同時に誘導板２３０のベース２１０の溝部２１２に挿入された、誘導板２３０長片部２３１の上側を通過し、その後、誘導板２３０の上面をスライドしながら復路経路２３の一部として排紙口５側の所定位置に搬送される。
【００３０】
以後同様にして、３色目のＹ（イエロ）のインクが記録媒体１に熱転写が行われ、所望の画像が印刷され、排紙口４から排紙される。なお、カラー印刷後に、印刷面を保護するためにオーバーコートを施しても良いのは勿論である。この場合も、カラー印刷後の記録媒体１を、再度、復路経路２３から転写部４に搬送して、上述したカラー印刷と同様の搬送を行いながら処理を施せばよい。
【００３１】
以上の構成による実施例では、搬送路４中の往路経路２１と復路経路２２とを分岐する分岐点Ｘに設けた誘導板２３０は、弾性機能を有しているので、往路経路２２において給紙口３から転写部４に搬送される記録媒体１になんら支障をきたすことなく搬送でき、しかも、画像印刷後の記録媒体１をスムーズに復路経路２３に誘導し、排紙口５に排紙することができる。
【００３２】
しかも、上述した実施例では、搬送路２中の分岐点Ｘに位置するベース２１０に、傾斜面からなる誘導部２１１と溝部２１２を形成し、当該溝部２１２に対応する部分を長くした弾性機能を有する復路経路２３の一部を形成する誘導板２３０を分岐点に配設すれば良く、その構成は、極めてシンプルであるとともに、記録媒体１の搬送方向を誘導するために、殊更、プラテンローラ側にピンチローラや、ヘッドユニット側にガイドローラなどを設ける必要がなく、部品点数の増大を招来することがない。しかも、誘導板２３０の支持フレーム８２への取付けの際の位置決めは、支持フレーム８２に形成した位置決め突起８３に、前記誘導板２３０の位置決め孔２３３を嵌装すれば良く、組立作業がきわめて簡単である他、往復移動する記録媒体１には、曲げ癖などが一切生じないので、これに起因する搬送過程における記録媒体が詰まるなどのトラブルを生じる危惧がない、などといった効果を奏する。
【００３３】
なお、上述した実施例は、本発明の好適な実施例であるが、本発明はこれに限定されるものではなく、本発明の要旨を逸脱しない範囲において、種々変形実施可能であり、例えば、上述の実施例では、カラー印刷について詳述したが、単色印刷、例えば、白黒印刷に本発明を適用できるは勿論である。
【図面の簡単な説明】
【００３４】
【図１】本発明の一実施例による熱転写プリンタの概略構成を示す概略断面図である。
【図２】図１に示す熱転写プリンタの搬送路中の往路経路と復路経路とを分岐する分岐点近傍を拡大して示す要部平面図である。
【図３】図２のａ−ａ線に沿った断面図である。
【図４】図２のｂ−ｂ線に沿った断面図である。
【図５】図２のａ−ａ線に沿った断面図である。
【図６】図２のｂ−ｂ線に沿った断面図である。
【図７】図２のｃ−ｃ線に沿った断面図である。
【図８】図７の要部平面図である。
【符号の説明】
【００３５】
１      記録媒体
２      搬送路
２１    往路経路
２１０  ベース
２１１  誘導部
２１２  溝部
２２    中間経路
２３    復路経路
２３０  誘導板
２３１  長片部
２３２  短片部
２３３  位置決め孔
３      給紙口
４      転写部
４１    サーマルヘッド
４２    プラテンローラ
５      排紙口
７１    インクリボン
８２    支持フレーム
８３    位置決め突起
【図１】
2005314041.tif 000003
【図２】
2005314041.tif 000004
【図３】
2005314041.tif 000005
【図４】
2005314041.tif 000006
【図５】
2005314041.tif 000007
【図６】
2005314041.tif 000008
【図７】
2005314041.tif 000009
【図８】
2005314041.tif 000010